(57)【特許請求の範囲】
【請求項１】
断面が逆台形形状であって、短尺方向の一端面の傾斜開口面から他端面の垂直開口面に抜ける通気路が多数縦横に連設された樹脂製の通気部材と、上面とこれに続く傾斜通気面と底面とから成っていて、前記上面と前記底面間において前記通気部材を挟持するカバー材とで構成され、
前記通気部材の垂直開口面に対向する前記カバー材の傾斜通気面に、通気性を確保するための開口設け、前記カバー材の上面を延長して固定面を形成して成る通気装置。
【請求項２】
前記カバー材の固定面に留付孔が穿設される、請求項１に記載の通気装置。
【請求項３】
前記固定面の裏面、前記カバー材の底面、前記カバー材の底面から露出している前記通気部材の底面のうちの少なくとも一箇所に熱膨張材を配置した、請求項１又は２に記載の通気装置。
【請求項４】
壁体の両面に通気層を設け、前記通気層の一方又は双方の上端の外方開口部に請求項１乃至３のいずれかに記載の通気装置を配置し、その上に笠木を配して成る換気構造であって、前記通気装置は、前記通気部材の傾斜開口面が前記通気層に連通し、前記カバー材の傾斜通気面の開口がサイディングと前記笠木の立下り部との間の空間に連通するように配置されて成ることを特徴とする壁体構造部の換気構造。
【請求項５】
前記通気層のうちの一方の通気層のみが外方に開口されて前記通気装置が設置され、他方の通気層は、前記壁体上面に適宜間隔置きに定着される下地材間に形成される通気空間を介して、前記一方の通気層と連通状態にされ、前記通気装置は、その固定面が前記下地材の上面に固定されることによって設置固定される、請求項４に記載の壁体構造部の換気構造。
【請求項６】
前記通気装置の底面と前記サイディングの外側面上端部との間にシーリング剤が塗布される、請求項４又は５に記載の壁体構造部の換気構造。
【請求項７】
前記通気装置は、前記サイディングを施工する前に設置され、前記サイディングの施工後、前記サイディングと前記通気装置の底面との間にシーリング剤が充填される、請求項４乃至６のいずれかに記載の壁体構造部の換気構造。
【発明の詳細な説明】
【技術分野】
【０００１】
本発明は、通気装置及びそれを用いた壁体構造部の換気構造に関するものであり、より詳細には、主に一般住宅の壁体構造部、即ち、パラペット、ベランダの手摺り等の壁体構造部の換気構造及びそれに用いる通気装置に関するものである。
【背景技術】
【０００２】
最近の一般住宅は、敷地の有効利用等の観点から、四角形状で陸屋根としたものが増えてきている。そして、その陸屋根には、その外周に沿って立ち上げた、人の落下や雨水の外壁を伝っての流下を防止するためのパラペットが設けられる。また、ベランダの周縁部にも、同様の手摺り壁が設けられる。
【０００３】
ところで、夏場において住宅は、日射を受けてその外装材や屋根材がかなり高温となり、小屋裏の温度は、しばしば６５度を超える。従って、特に夏場においては、室内の快適な温熱環境を維持して涼しさを確保するためには、室内だけでなく、小屋裏の換気を行う必要がある。この小屋裏換気の方法としては、棟換気又は軒換気が一般的であり、種々の棟換気装置及び軒換気装置が提案され、実用化されている。
【０００４】
そして、多くの場合、住宅の外壁に沿って通気層が形成される。この通気層は、壁内に進入した湿気を排出し、構造躯体を乾燥させて住宅の耐久性を高める役割、外壁から侵入した雨水の排出経路としての役割、並びに、夏季に、太陽照射により熱せられた外壁材からの伝導熱を防ぎ、更に室内の温熱環境を良好に保つ役割を果たす。
【０００５】
通例、この壁体構造部に形成される通気層は小屋裏空間に連通状態にされていて、この通気層から流れ出る空気は、一旦小屋裏空間に解放された後、上記棟換気装置や軒換気装置を介して棟部又は軒部から排出される。しかし、ベランダの手摺りは、多くの場合、換気可能に構築されていない。
【０００６】
そこで最近は、ベランダの手摺り等の壁体構造部に換気機能を持たせるものが増えてきている。例えば、特開２０１２−７４３３号公報には、壁体（３）の両側に内外通気層（５、６）を設け、各通気層（５、６）の上端及び下端を外部に開口させ、上端の開口部に、中間部が折曲されていて、前記中間折曲部を通って一端面から他端面に抜ける通気路が多数縦横に連設されたＬ型通気部材（１）をその水平部を上にして配備した壁体構造部における換気構造が開示されている（図５参照）。
【０００７】
しかし、そこにおいて用いられているＬ型通気部材は、それ自体製造に手間がかかるだけでなく、安定的設置にも手間がかかるために、低コスト化の妨げとなっていた。また、同じくＬ型通気部材を用いる特開２０１２−１１７２０８号公報に記載の換気構造の場合にも、同様の問題がある。
【０００８】
更に、最近の一般住宅におけるパラペット等には、立下り部が短い平型の笠木が多く用いられるようになってきているが、その場合に上記Ｌ型通気部材を用いると、その垂直部の一部が露見することにより、外観を損ねるおそれがある。
【先行技術文献】
【特許文献】
【０００９】
【特許文献１】特開２０１２−７４３３号公報
【特許文献２】特開２０１２−１１７２０８号公報
【発明の概要】
【発明が解決しようとする課題】
【００１０】
上述したように、従来壁体構造部の換気部に用いられているＬ型の通気部材は、コスト面でも取り扱い面でも難があるだけでなく、最近増えてきている立下り部の短い平型の笠木が用いられる場合に、その垂直部が露出するおそれがあるという問題があった。本発明は、このような問題を解決するためになされたものであって、取り付け作業が容易で、立下り部が短い平型の笠木が用いられる場合であっても、部材が露出して外観を損ねるようなことがない壁体構造部の換気構造及びそれに用いる通気装置を提供することを課題とする。
【課題を解決するための手段】
【００１１】
上記課題を解決するための請求項１に記載の発明は、断面が逆台形形状であって、短尺方向の一端面の傾斜開口面から他端面の垂直開口面に抜ける通気路が多数縦横に連設された樹脂製の通気部材と、上面とこれに続く傾斜通気面と底面とから成っていて、前記上面と前記底面間において前記通気部材を挟持するカバー材とで構成され、前記通気部材の垂直開口面に対向する前記カバー材の傾斜通気面に、通気性を確保するための開口を設け、前記カバー材の上面を延長して固定面を形成して成る通気装置である。
【００１２】
一実施形態においては、前記カバー材の固定面に留付孔が穿設され、また、前記固定面の裏面、前記カバー材の底面、前記カバー材の底面から露出している前記通気部材の底面のうちの少なくとも一箇所に熱膨張材が配置される。
【００１３】
上記課題を解決するための請求項４に記載の発明は、壁体の両面に通気層を設け、前記通気層の一方又は双方の上端の外方開口部に請求項１乃至３のいずれかに記載の通気装置を配置し、その上に笠木を配して成る換気構造であって、前記通気装置は、前記通気部材の傾斜開口面が前記通気層に連通し、前記カバー材の傾斜通気面の開口がサイディングと前記笠木の立下り部との間の空間に連通するように配置されて成ることを特徴とする壁体構造部の換気構造である。
【００１４】
一実施形態においては、前記通気層のうちの一方の通気層のみが外方に開口されて前記通気装置が設置され、他方の通気層は、前記壁体上面に適宜間隔置きに定着される下地材間に形成される通気空間を介して、前記一方の通気層と連通状態にされ、前記通気装置は、その固定面が前記下地材の上面に固定されることによって設置固定される。
【００１５】
一実施形態においては、前記通気装置の底面と前記サイディングの外側面上端部との間にシーリング剤が塗布される。また、前記通気装置は、前記サイディングを施工する前に設置され、前記サイディングの施工後、前記サイディングと前記通気装置の底面との間にシーリング剤が充填される。
【発明の効果】
【００１６】
本発明は上述したとおりであって、本発明に係る通気装置は、その取り付け作業が容易であり、下方に伸びる垂直部がないため、立下り部が短い平型の笠木が用いられる場合であっても、通気装置の一部が露出して外観を損ねるおそれがないという効果がある。
【００１７】
また、本発明に係る壁体構造部の換気構造は、下方に伸びる垂直部のない通気装置を用いるために、流れが直角となる従来のＬ型通気部材の場合よりも抵抗が少なく、空気の流れがスムーズとなって、通気性能が向上するという効果がある。
【図面の簡単な説明】
【００１８】
【図１】本発明に係る通気装置の構成を示す斜視図である。
【図２】本発明に係る通気装置の構成を示す側面図である。
【図３】本発明に係る通気装置を用いた壁体構造部の換気構造の一例を示す縦断面図である。
【図４】本発明に係る通気装置を用いた壁体構造部の換気構造の他の例を示す縦断面図である。
【図５】従来のＬ型通気部材を用いた壁体構造部の換気構造の構成例を示す縦断面図である。
【発明を実施するための形態】
【００１９】
以下に、本発明を実施するための好ましい形態について、添付図面に依拠して説明する。なお、本発明において言う壁体構造部には、少なくともパラペットとベランダの手摺りが含まれる。
【００２０】
図１は本発明に係る通気装置１０の構成例を示す斜視図、図２はその側面図であり、そこに示されるように該通気装置１０は、断面が逆台形形状であって、短尺方向の一端面である傾斜開口面１４から他端面である垂直開口面１３に抜ける通気路１２が多数縦横に連設された樹脂製の通気部材１１と、上面２２とこれに続く傾斜通気面２３及び底面２４とから成っていて、上面２２と底面２４間において通気部材１１を挟持するカバー材２１とで構成される。
【００２１】
通気部材１１の通気路１２が開口する垂直開口面１３は、カバー材２１の傾斜通気面２３に対向し、通気部材１１の施工時において外方向に向けられ、傾斜開口面１４は、施工時において内方に向けられる。
【００２２】
カバー材２１の上面２２は延長されて固定面２５が形成され、その任意の位置に、通気装置１０を、後述する壁体４又は下地材７の上面に留付ける際に利用する留付孔２６が穿設される。また、必要に応じ、固定面２５の端辺が下方に折り返される。傾斜通気面２３は、上面２２に対して鈍角となるように折曲して形成される。また、傾斜通気面２３には、十分な通気面積を確保するための開口２７が形成される。開口２７は、図１に示されるように、上面２２の一部にまで及ぶこともある。また、必要に応じ、固定面２５の裏面、カバー材２１の底面２４、カバー材２１の底面２４から露出している通気部材１１の底面のうちの少なくとも一箇所に熱膨張材２９が配置される（図２参照）。
【００２３】
この通気装置１０を用いた本発明に係る壁体構造部の換気構造は、壁体４の両側に通気層５、６を設け、その一方又は双方の上端開口部に通気装置１０を配置し、その上に笠木１を配して成るものである。通気装置１０は、通気部材１１の傾斜開口面１４が通気層５、６に連通し、また、カバー材２１の傾斜通気面２３の開口２７が、サイディング３と笠木１の立下り部２との間の空間に連通するように配置される。
【００２４】
図３に示す例は、内外双方の通気層５、６が外方に開口される構成のものであり、その場合は、各通気層５、６の外方開口部にそれぞれ通気装置１０が配置される。通気装置１０は、サイディング３の施工前に設置することができ、また、その施工後に設置することもできる。
【００２５】
通気装置１０をサイディング３の施工前に設置する場合（図３の左半部参照）は、先ず、留付孔２６を利用して固定面２５を壁体４の上面に、透湿・防水シート８等を介して固定し、その後、サイディング３を打付ける。この場合、サイディング３の上端部が通気装置１０の底面２４に隙間なく当接するように施工することは難しい。そこで、サイディング３の高さを低めに設定することで、意図的に、サイディング３の上端部と通気装置１０の底面２４との間に隙間ができるようにし、そこにシーリング剤２８を充填して封止するようにすることが好ましい。
【００２６】
通気装置１０をサイディング３の施工後に設置する場合（図３の右半部参照）は、通気装置１０は、その底面２４をサイディング３の上端面上に載置し、留付孔２６を利用して固定面２５を壁体４の上面に、透湿・防水シート８等を介して固定する。なお、この場合は、安定した固定状態とするために、底面２４とサイディング３の外側面上端部との間に、シーリング剤２８を塗布することが好ましい。
【００２７】
この図３に示す例の場合、内外通気層５、６内を上昇してくる空気は、先ず、通気装置１０の通気部材１１の傾斜開口面１４に向かって流れ、傾斜開口面１４の各通気路１２内に入り込んで進行し、垂直開口面１３から抜ける。そして、その後、カバー材２１の傾斜通気面２３に形成されている開口２７を通り抜けて、サイディング３と笠木１の立下り部２との間の空間を通って大気に放出される。
【００２８】
図４に示す例の場合は、外側の通気層５のみが外方に開口され、上記実施形態の場合と同様にして、通気装置１０がサイディング３の上端面上に載置される。一方内側の通気層６は、その閉塞された上端部が、壁体４の上面に適宜間隔置きに定着される下地材７間に形成される通気空間９を介し、外側の通気層５の上端部と連通するように構成される。
【００２９】
この例の場合、外側の通気層５内を上昇してくる空気は、上記実施形態の場合と同様に、通気装置１０の通気部材１１の傾斜開口面１４から各通気路１２内に進入し、垂直開口面１３から抜ける。また、内側の通気層６内を上昇してくる空気は、通気空間９を通って外側の通気層５内を上昇してくる空気と合流し、通気部材１１及び開口２７を通り抜けて、サイディング３と笠木１の立下り部２との間の空間から大気に放出される。
【００３０】
上記いずれの実施形態の場合も、通気装置１０は、笠木１の立下り部２によって隠蔽されるサイディング３の上側に設置されるため、いかに立下り部２が短いとしてもその一部が露出することはなく、それが露出することによって外観が損なわれるおそれはない。
【００３１】
また、内外通気層５、６内を上昇してくる空気は、通気部材１１の垂直開口面１３を抜けた後、そのまま直進してカバー材２１の傾斜通気面２３に形成されている開口２７を抜けて放出される。本発明に係る換気構造の場合は、このように、通気部材１１の垂直開口面１３を抜けた空気は、そのまま直進して開口２７を通り抜け、サイディング３と笠木１の立下り部２との間の空間から大気に放出されるので、空気の流れが直角となる従来のＬ型通気部材の場合よりも通気抵抗が少なく、空気の流れがスムーズとなって、通気性能が向上し、以て、十分な換気機能を備えた壁体構造部の換気構造が得られる。
【００３２】
なお、固定面２５の裏面、カバー材２１の底面２４、カバー材２１の底面２４から露出している通気部材１１の底面のうちの少なくとも一箇所に熱膨張材２９を配置した場合は、万一の出火時に、熱膨張材２９が膨張してその部分を完全に閉塞するため、炎の伝播が確実に阻止される。
【００３３】
この発明をある程度詳細にその最も好ましい実施形態について説明してきたが、この発明の精神と範囲に反することなしに広範に異なる実施形態を構成することができることは明白である。従って、この発明は添付請求の範囲において限定した以外はその特定の実施形態に制約されるものではない。
【符号の説明】
【００３４】
１      笠木
２      立下り部
３      サイディング
４      壁体
５      外側通気層
６      内側通気層
７      下地材
８      透湿・防水シート
９      通気空間
１０    通気装置
１１    通気部材
１２    通気路
１３    垂直開口面
１４    傾斜開口面
２１    カバー材
２２    上面
２３    傾斜通気面
２４    底面
２５    固定面
２６    留付孔    
２７    開口
２８    シーリング材
２９    熱膨張材
【図１】
0006431782.tif 000002
【図２】
0006431782.tif 000003
【図３】
0006431782.tif 000004
【図４】
0006431782.tif 000005
【図５】
0006431782.tif 000006